(57)【特許請求の範囲】
【請求項１】
巻き弾性を有するゼンマイバネ(1)と、ゼンマイバネ(1)を巻き弾性を有する状態で係止した係止手段(2)とを備え、ゼンマイバネ(1)における径内側の先端側がボルトやナット等の被締付部材(H)に係合され、ゼンマイバネ(1)における径外側の後端側が被締付部材(H)を装着した被装着材(S)に固定され、係止手段(2)が、係止解除可能なものからなり、ゼンマイバネ(1)における径外側の後端部には、被締付部材(H)を装着した被装着材(S)に固定させるための固定手段(4)が備えられたものであるネジ締め付け具において、
上記ゼンマイバネ(1)における径内側の先端部又はゼンマイバネ(1)の径外側の後端部には、ゼンマイバネ(1)の先端を被装着材(S)に装着した被締付部材(H)に係合すると共にゼンマイバネ(1)の後端を被装着材(S)へ固定した際に、ゼンマイバネ(1)の下端側よりも下方に突出する接触防止手段が備えられ、
ゼンマイバネ(1)の下端側は、ゼンマイバネ(1)の後端を被装着材(S)へ固定した際に、被装着材(S)に対し、接触防止手段の突出する厚さ分だけ上方側に配位され、
これによって、ゼンマイバネ(1)の下端側が、被装着材(S)と接触しないようにされ、
上記ゼンマイバネ(1)における径内側の先端部には、ボルトやナット等の被締付部材(H) に回動不能に係合させるための係合部材(3)が備えられたものであり、
接触防止手段は、上記の係合部材(3)に設けた受け部(51)と、ゼンマイバネ(1)の後端側の輪状部(41)に設けた突起(52)とを備え、
受け部(51)は、係合部材(3) において、ゼンマイバネ(1)より下方に突設された部位であり、
突起(52)は、輪状部(41)の下端側に、ゼンマイバネ(1)の下端から下方に向けて突設されたものであり、
上記受け部(51)と突起(52)とによって、被装着材(S)へ固定された後のゼンマイバネ(1)は、前端から後端に至るゼンマイバネ(1)全体の下端側と被装着材Ｓとの間に隙間が形成されたことを特徴とするネジ締め付け具。
【請求項２】
係止手段(2) が、紐状の係止部材(21)と、係止部材(21)の係止を解除する係止解除機構(22)とを備え、係止部材(21)が、巻き弾性を有する状態のゼンマイバネの外周に巻回されることにより、ゼンマイバネ(1)が巻き弾性を有する状態で係止され、係止解除機構が、ゼンマイバネ(1)の後端部の被装着材(S)への固定操作に際して係止部材(21)の係止を解除するものであることを特徴とする請求項１に記載のネジ締め付け具。
【発明の詳細な説明】
【０００１】
【発明の属する技術分野】
本願発明は、ゼンマイバネの巻き弾性によって、ボルトやナット等を締め付けるネジ締め付け具の改良に関するものである。
【０００２】
【従来の技術】
ボルトやナット等は、建築物や鉄道のまくら木をはじめとして各種部材の固定用等に広く利用されているが、これらのボルトやナット等は、後に緩んでこないように一定の締め付けトルクで締め付けておく必要がある。
しかしながら、ボルトやナット等を個々に、一定の締め付けトルクで締め付けを行うには、トルクレンチ等を必要とするとともに、大きい締め付けトルクで締め付ける必要の有る場合は作業者にとって労力を要する。
又、例えば木材にボルトやナットを用いる場合、最終的に一定の締め付けトルクで締め付けたしても、木材の経年変化によってボルトやナットが自然と緩んだ状態になってしまう。そのため、締め付けを行ってから期間経過後に、再度締め付け作業を行わなければならない。
【０００３】
【発明が解決しようとする課題】
本願発明は、以上の実情に鑑み提案されたもので、ボルトやナット等を、一定の締め付けトルクで締め付け操作を行わなくても、自然と一定の締め付けトルクで締め付けることのできるものであって、しかも、経年変化によってボルトやナットが自然と緩んだ状態になってしまう木材等への使用に際しても、常時一定の締め付けトルクを維持しておくことのできるネジ締め付け具の提供を第１の目的とする。
本願発明は、ゼンマイバネを弾性を有する状態で係止した係止部材を、容易に係止解除でき、作業容易なネジ締め付け具の提供を第２の目的とする。
【０００４】
【課題を解決するための手段】
本願発明は、以下の特徴を有するネジ締め付け具を提供することにより上記課題を解決する。
本願の請求項１の発明は、巻き弾性を有するゼンマイバネ(1)と、ゼンマイバネ(1)を巻き弾性を有する状態で係止した係止手段(2)とを備え、ゼンマイバネ(1)における径内側の先端側がボルトやナット等の被締付部材(H)に係合され、ゼンマイバネ(1)における径外側の後端側が被締付部材(H)を装着した被装着材(S)に固定され、係止手段(2)が、係止解除可能なものからなり、ゼンマイバネ(1)における径外側の後端部には、被締付部材(H)を装着した被装着材(S)に固定させるための固定手段(4)が備えられたネジ締め付け具について、次の構成を備えたものを提供する。
即ち、上記ゼンマイバネ(1)における径内側の先端部又はゼンマイバネ(1)の径外側の後端部には、ゼンマイバネ(1)の先端を被装着材(S)に装着した被締付部材(H)に係合すると共にゼンマイバネ(1)の後端を被装着材(S)へ固定した際に、ゼンマイバネ(1)の下端側よりも下方に突出する接触防止手段が備えられ、ゼンマイバネ(1)の下端側は、ゼンマイバネ(1)の後端を被装着材(S)へ固定した際に、被装着材(S)に対し、接触防止手段の突出する厚さ分だけ上方側に配位される。これによって、ゼンマイバネ(1)の下端側が、被装着材(S)と接触しないようにされている。
そして、ゼンマイバネ(1)における径内側の先端部には、ボルトやナット等の被締付部材(H)に回動不能に係合させるための係合部材(3)が備えられたものであり、接触防止手段は、上記の係合部材(3)に設けた受け部(51)と、ゼンマイバネ(1)の後端側の輪状部(41)に設けた突起(52)とを備え、受け部(51)は、係合部材(3)において、ゼンマイバネ(1)より下方に突設された部位であり、突起(52)は、輪状部(41)の下端側に、ゼンマイバネ(1)の下端から下方に向けて突設されたものであり、上記受け部(51)と突起(52)とによって、被装着材(S)へ固定された後のゼンマイバネ(1)は、前端から後端に至るゼンマイバネ(1)全体の下端側と被装着材Ｓとの間に隙間が形成されている。
本願の請求項２の発明は、係止手段(2) が、紐状の係止部材(21)と、係止部材(21)の係止を解除する係止解除機構(22)とを備え、係止部材(21)が、巻き弾性を有する状態のゼンマイバネの外周に巻回されることにより、ゼンマイバネ(1)が巻き弾性を有する状態で係止され、係止解除機構が、ゼンマイバネ(1) の後端部の被装着材(S) への固定操作に際して係止部材(21)の係止を解除するものであることを特徴とする請求項１に記載のネジ締め付け具を提供する。
【０００５】
以上のように構成された本願発明においては、係止部材２１の係止を外せば、それまで係止されていたゼンマイバネ１が開放されて巻き弾性により拡張し、この拡張に際してゼンマイバネ１の前端に係合したボルトＨ１やナット等の被締付部材Ｈを回動させることができ、一定トルクで締め付けることができる。又、その際、例えばゼンマイバネ１をケース内に入れているような場合にはゼンマイバネ１がケースの内径以上には拡張できないため、係合部材３によってボルトＨ１を回動させる量が制限され、その結果、予め木材ＳにボルトＨ１をスパナ等である程度の締め付けトルクで締めておかなければボルトＨ１を一定の締め付けトルクまで締め付けることができない恐れが生じるが、本願発明においては係止部材２１を係止解除した後は、ケースのようなものもなくゼンマイバネ１の拡張を妨げるものがないため、ボルトＨ１をより多く回動させることができ、手でボルトＨ１を木材Ｓに装着しておいてもボルトＨ１を一定の締め付けトルクになるまで回動させて締め付けることができる。従って、スパナ等の工具を使用しなくても、単に手でボルトＨ１を木材Ｓにセットしさえしておけば良く、操作容易なものにできる。又、ボルトＨ１の締め付け後は、ボルトＨ１に、ゼンマイバネ１の弾性力をかけた付勢状態で維持できる。従って、その後、時間が経過して被装着材としての木材Ｓが径年変化し、ボルトＨ１の締め付けトルクが下がり始めると、それに合わせてゼンマイバネ１の弾性力によってボルトＨ１を自動的に締め付けることができ、常時一定の締め付けトルクを維持させることができる。一方、弾性を有する状態のゼンマイバネ１を係止部材２１によって係止しているだけのため、全体の重量を極力軽減でき、運搬や取扱いに際しての労力を軽減し得るものにできる。又、製作にあたっては、ゼンマイバネ１を収納するケース等も設けていないため、加工を簡単なものにできるとともに、金型も殆ど必要とせずに低コストで製作し得るものにできる。また、係止手段２を、紐状の係止部材２１と、係止部材２１の係止を解除する係止解除機構とを備えたものとし、係止解除機構を、ゼンマイバネ１の後端部の被装着材Ｓへの固定に際して係止部材２１の係止を解除するものとする。こうすることにより、ゼンマイバネ１の後端部を被装着材Ｓに固定するという一つの操作で、同時に係止部材２１の係止を解除することができ、操作容易なものにできる。
特に、接触防止手段により、ゼンマイバネ１の前端側又は後端側における下端を被装着材Ｓに接触しないようにして、ゼンマイバネ１を拡張する際の抵抗を少なくした。
【０００６】
【発明の実施の形態】
以下、図を基に本願発明の実施形態を具体的に説明する。
第１図(A) は、本願発明の一実施形態のネジ締め付け具の平面図、第１図(B) は、その側面図、第２図は、第１図(A) のII−II線断面図である。
【０００７】
本願発明のネジ締め付け具は、ゼンマイバネ１と、係止手段２とを備えている。ゼンマイバネ１は、長尺状の鋼板を、前端側から順次巻回成形して前端側を径内側に配し、後端側を径外側に配して巻き弾性を有する渦巻き状を呈するものとされている。
【０００８】
ゼンマイバネ１の前端には、係合部３が設けられている。この係合部３は、ボルトやナット等の被締付部材Ｈ（第４図に図示）に係合させるための係合手段としてのもので、本実施形態では、ゼンマイバネ１と別体からなる係合部材３から構成されている。この係合部材３は、ゼンマイバネ１の幅よりやや高さの高い筒状体からなり、係合部材３の内周部に被締付部材Ｈを回動不能に嵌合し得る正６角形状の嵌合部３１が備えられている。又、係合部材３の外周には、ゼンマイバネ１の前端に取り付けるための取付け用溝３２が備えられている。この取付け用溝３２は、係合部材３の上面から略Ｌ字状に、下端側に１〜１．５ｍｍ程度の厚さの受け部５１を残すようにしてゼンマイバネ１の幅と略同一深さで形成されている。そして、この取付け用溝３２に、コの字状に折り曲げ成形されたゼンマイバネ１の前端が上方側から嵌挿されることにより、ゼンマイバネ１の下端が係合部材３の下面から受け部５１の厚さ分だけ上方側に配位された状態で、回転不能に取り付けられている。
【０００９】
尚、係合部材３とゼンマイバネ１の前端との取付け方法は、上記形態のものに限らず、回転不能に取り付け得る形態のものであれば良く、特に限定されない。又、係合部材３とゼンマイバネ１の前端との取付けは、係脱自在に取り付ける形態のものでも、固定した形態のものであっても良い。一方、係合部材３の嵌合部３１は、正６角形状の形態のものに限らず、正１２角形状にする等、ボルトやナット等の被締付部材Ｈを回動不能に係合し得る形状であれば良い。
【００１０】
ゼンマイバネ１の後端には、固定手段４が備えられている。この固定手段４は、ボルトやナット等の被締付部材Ｈを装着する建造物やまくら木等の被装着材Ｓ（第４図に図示）に固定するためのものである。本実施形態における固定手段４は、輪状部４１と、釘等の固定部材４２とから構成している。輪状部４１は、ゼンマイバネ１の後端を、固定部材４２を挿通し得る大きさの輪状に巻回成形されることにより形成されている。そして、この輪状部４１に固定部材４２を挿通して被装着材Ｓに打ち込むことにより、固定部材４２に設けた径大な頭部４３と被装着材Ｓとの間に輪状部４１を固定するようになされている。
【００１１】
尚、固定部材４２は、釘を使用する形態のものに限らず、被装着材Ｓに固定し得る形態のものであれば良く、木ネジや、先端にドリル部を有するセルフドリリングネジ、更には一般的なボルト等であっても良い。例えば、被装着材Ｓが木材製である場合は、釘や木ネジを使用し、一方、被装着材Ｓが鉄筋製等であるような場合には、セルフドリリングネジを使用するようにすれば、セルフドリリングネジの回転によりネジ加工をしながら締め付けることができ、被装着材Ｓの種類に応じて固定できる。又、固定部材４２は、輪状部４１に挿通可能にしておかなくても、予め固定部材４２をゼンマイバネ１の後端に固定しておくようにしても良い。但し、予め固定しておくと、被装着材Ｓの種類に応じて適応し難くなるので、施工現場で釘、木ネジ、セルフドリリングネジ、ボルト等を任意に選択使用できるようにしておくのが好ましい。
【００１２】
又、この実施形態では、ゼンマイバネ１の後端を被装着材Ｓへ固定した際、ゼンマイバネ１の下端側と被装着材Ｓとを接触しないようにしておくための接触防止手段が備えられている。この実施形態における接触防止手段は、上述した係合部材３に設けた受け部５１と、ゼンマイバネ１の後端側の輪状部４１に設けた突起５２とから構成される。この突起５２は、輪状部４１の下端側に、ゼンマイバネ１の下端から１〜１．５ｍｍ程度の長さで下方に突設されている。そして、これらの受け部５１と突起５２とによって、被装着材Ｓへ固定された後のゼンマイバネ１は、第４図に示すように前端から後端に至るゼンマイバネ１全体の下端側と被装着材Ｓとの間に１〜１．５ｍｍ程度の隙間ｔが形成され、ゼンマイバネ１の下端側を被装着材Ｓに接触しないようになされている。尚、突起５２や受け部５１とゼンマイバネ１の下端との高さは、１〜１．５ｍｍ程度に限らず、特に限定されない。又、突起５２と受け部５１との高さを、異なるものにしても良く、適宜変更し得る。
【００１３】
係止手段２は、本実施形態では、第１図(B) に示すようにゼンマイバネ１を巻き弾性を有する状態で係止しておくための係止部材２１と、係止部材２１の係止を解除する係止解除機構とを備えている。係止部材２１は、径細の鋼線を被覆部材で被覆した長尺状の紐状のものから構成されており、折り曲げ自在なものからなる。
【００１４】
係止解除機構は、ゼンマイバネ１の後端部の被装着材Ｓへの固定操作に際して係止部材２１の係止を解除できるようにするもので、以下の構成から成る。
即ち、ゼンマイバネ１の後端側における輪状部４１の前方位置に設けられた係止部材挿通用孔２２を備え、係止部材２１は、ゼンマイバネ１の外周から係止部材挿通用孔２２を通過した後、係止部材挿通用孔２２と輪状部４１との間におけるゼンマイバネ１の幅方向の図示下端を横切って外周側に回り、ゼンマイバネ１の後端の輪状部４１の外周側を通って巻回し、このようにして、弾性を有する状態のゼンマイバネ１を拡張しないように係止している。従って、係止部材２１によって係止されたゼンマイバネ１は、係止部材挿通用孔２２から輪状部４１にかけての部分が、係止部材２１によって斜め上方側に押し上げられて他の部分と幅方向がずれた状態になっている。これにより、輪状部４１に釘等の固定部材４２を挿通し、被装着材Ｓに輪状部４１を固定することにより、係止部材２１が切断され、或いは、係止部材２１が下方に外されて、係止部材２１による係止が解除されるのである。
【００１５】
次に、このネジ締め付け具の使用方法について、第３図、第４図に基づき説明する。
例えば被締付部材ＨとしてのボルトＨ１を、被装着材Ｓとしての木材Ｓに締め付ける場合は、まず、木材Ｓに装着したボルトＨ１の頭部に、係合部材３の嵌合部３１を嵌合させる。これにより、ネジ締め付け具の径内側の前端側がボルトＨ１に係合し、ネジ締め付け具を放してもネジ締め付け具が動くようなことがない。その後、固定部材４２を、輪状部４１に通して木材Ｓに打ち込む。これにより、ゼンマイバネ１の径外側の後端側が木材Ｓに固定される。この固定状態においては、上述したようにゼンマイバネ１の前端側に設けた受け部５１とゼンマイバネ１の後端側に設けた突起５２とによる接触防止手段によって、前端から後端に至るゼンマイバネ１全体の下端側と被装着材Ｓとの間に隙間ｔが形成された状態となる。又、固定部材４２の木材Ｓへの打ち込みに際して、ゼンマイバネ１の幅方向の下端から外周側に回された係止部材２１の部分がゼンマイバネ１の下端から押圧力を受けて切断され、又は、切断されない場合でもゼンマイバネ１の外周に巻回した係止部材２１が下方側に押圧されてゼンマイバネ１の外周から外れて係止が解除される。この係止部材２１の係止解除により、第３図に示すようにゼンマイバネ１が開放されて巻き弾性により拡張し、この拡張に際して係合部材３が回動し、これに係合したボルトＨ１も共に回動する。これにより、ボルトＨ１を締め付けることができる。従って、ゼンマイバネ１の後端側の固定操作だけで良く、係止部材２１の解除操作を不要とし、操作を容易なものにできる。しかも、ゼンマイバネ１の拡張に際し、接触防止手段によってゼンマイバネ１の下端側と被装着材Ｓとの間に隙間ｔが形成されているため、ゼンマイバネ１が被装着材Ｓから抵抗を受けることがなく、ゼンマイバネ１の巻き弾性をそのままボルトＨ１に伝達でき、ボルトＨ１を確実に締め付けることができる。又、その際、例えばゼンマイバネ１をケース内に入れているような場合にはゼンマイバネ１がケースの内径以上には拡張できないため、係合部材３によってボルトＨ１を回動させる量が制限され、その結果、予め木材ＳにボルトＨ１をスパナ等である程度の締め付けトルクで締めておかなければボルトＨ１を一定の締め付けトルクまで締め付けることができない恐れが生じるが、本願発明においては係止部材２１を係止解除した後は、ケースのようなものもなくゼンマイバネ１の拡張を妨げるものがないため、ボルトＨ１をより多く回動させることができ、手でボルトＨ１を木材Ｓに装着しておいてもボルトＨ１を一定の締め付けトルクまで締め付けることができる。従って、スパナ等の工具を使用しなくても、単に手でボルトＨ１を木材Ｓにセットしさえしておけば良く、操作容易なものにできる。
【００１６】
そして、このゼンマイバネ１の弾性によるボルトＨ１の締め付けは、ゼンマイバネ１の弾性力とボルトＨ１の締め付けトルクが等しくなった時点で止まり、締め付けられたボルトＨ１は、ゼンマイバネ１の弾性力がかかった付勢状態で維持される。従って、その後、時間が経過して木材Ｓが径年変化し、いわゆる木材Ｓが痩せてきてボルトＨ１の締め付けトルクが下がり始めると、それに合わせてゼンマイバネ１の弾性力によってボルトＨ１を自動的に締め付けることができ、常時一定の締め付けトルクを維持させることができる。尚、ボルトＨ１を締め付けた後は、その状態で放置しておいても良いが、例えば第４図中に破線で示すように全体を被覆用ケース６で覆うようにしても良く、適宜変更し得る。
【００１７】
以上のようにしたネジ締め付け具を使用するようにすれば、弾性を有する状態のゼンマイバネ１を紐状の係止部材２１によって係止しているだけのため、全体の重量を極力軽減でき、運搬や取扱いに際しての労力を軽減し得るものにできる。又、製作にあたっては、ゼンマイバネ１を収納するケース等も設けていないため、加工を簡単なものにできるとともに、金型も殆ど必要とせずに低コストで製作し得るものにできる。
【００１８】
尚、本実施形態では、係止手段２における係止解除機構の係止部材挿通用孔２２を、ゼンマイバネ１の幅方向の下端側に穿設しているが、係止部材挿通用孔２２のゼンマイバネ１の幅方向に対する位置は、特に限定されない。但し、ゼンマイバネ１の幅方向の下端側に設けておく方がゼンマイバネ１の後端側を被装着材Ｓに固定するに際して切断しない場合に係止部材２１がゼンマイバネ１の外周から外れ易くなり、確実に係止解除できる点で好ましい。
【００１９】
又、係止部材挿通用孔２２は、この形態のものに限らず、例えば第５図に示すようにゼンマイバネ１の幅方向の上端又は下端（第５図では、下端から開けたものを図示）から所定の深さで開けるようにしても良く、このようにしても係止部材２１をゼンマイバネ１の幅方向の図示下端を横切って外周側に回すことができる。又、このような一端開口の係止部材挿通用孔２２を設けることにより、ゼンマイバネ１の後端側を被装着材Ｓに固定する際に、ゼンマイバネ１の幅方向の図示下端から外周側に回した係止部材２１の部分を、ゼンマイバネ１の押圧力によって切断するか、又は、切断できない場合でもゼンマイバネ１の押圧力によって係止部材２１をゼンマイバネ１の外周から外して係止解除することができ、係止部材２１の係止を確実に外すことができる。
【００２０】
また、係止手段２の係止解除機構は、上記形態のものに限らず、ゼンマイバネ１の後端側を被装着材Ｓに固定する操作により、係止した係止部材２１を切断するか、又は、ゼンマイバネ１の外周から外して係止解除し得る形態のものであれば良い。
【００２１】
例えば第６図(A)(B)に示すように、ゼンマイバネ１に係止部材挿通用孔２２を設けるとともに、ゼンマイバネ１の後端側における係止部材挿通用孔２２近傍から後端までの部分を、予め後端に行くに従って漸次上方側になるように傾斜部１１を形成しておき、係止部材２１を係止部材挿通用孔２２に通して傾斜部１１を除くゼンマイバネ１の外周に巻回して係止する。そして、被装着材Ｓに固定する際に、ゼンマイバネ１の傾斜部１１を、径内側の部分に当接する程度まで手等で押圧し、その状態から傾斜部１１の後端に設けた輪状部４１に固定部材４２を打ち込むようにする。こうすることにより、固定部材４２を打ち込む際に、傾斜部１１が水平状に変位していき、その水平状に変位していく過程で傾斜部１１の下端が、巻回した係止部材２１に当接し下方に押圧して切断し、又は、切断しない場合でも傾斜部１１が水平状に変位していく過程で巻回した係止部材２１を、第６図(B) の右方から左方に沿って順次下方に押圧してゼンマイバネ１の外周から外すことができる。
【００２２】
又、この場合において、第７図に示すようにゼンマイバネ１における係止部材挿通用孔２２近傍に径内側に向かって折り曲げた折り曲げ部１２を形成しておき、予め傾斜部１１を径内側の部分に当接するようにしておいても良く、このようにしておけば、固定部材４２を固定する際に手等で傾斜部１１を押圧しながら行わなくても済み、操作を容易なものにできる。
【００２３】
更に、係止手段２によるゼンマイバネ１の係止は、単に紐状の係止部材２１をゼンマイバネ１の外周全体に巻き付けるようにし、ゼンマイバネ１の後端を被装着材Ｓに固定した後、係止部材２１の係止を外すようにしても良い。
又、ゼンマイバネ１の外周全体に巻き付ける場合や第５図で示したような一端開口の係止部材挿通用孔２２を設ける場合には、環状の係止部材２１を使用することができる。
【００２４】
係止手段２は、紐状の係止部材２１によるものに限らず、例えば第８図(A)(B)に示すように両端に係止片２１ａ、２１ａを有するコの字状の係止部材２１から構成し、この係止部材２１を、渦巻き状に巻回した状態のゼンマイバネ１に上方側から、係止片２１ａ、２１ａ各々をゼンマイバネ１の径外部と径内部に配設するようにセットしてゼンマイバネ１を係止しておき、ゼンマイバネ１の後端を被装着材Ｓに固定した後に係止部材２１を抜き取るようにしても良い。
【００２５】
更には、ゼンマイバネ１の径外側の後端側に、ゼンマイバネ１の一部を径外側に切り起こして形成した係合爪と、ゼンマイバネ１の一部に形成した係合孔とを備えたものとし、係合爪と係合孔とによって所定の大きさに巻回した状態のゼンマイバネ１を係止し、ゼンマイバネ１の後端を被装着材Ｓに固定した後にそれらの係止を外すようにしても良く、適宜変更できる。
【００２６】
更に、本実施形態では、係合手段としてゼンマイバネ１と別体の筒状の係合部材３を取り付けているが、例えば第９図に示すようにゼンマイバネ１の前端を正６角や正１２角形状に折り曲げ成形することにより、内部に被締付部材Ｈを嵌合し得る嵌合部３１を有する係合部３を形成するようにしても良い。
【００２７】
或いは、第１０図(A) に示すようにゼンマイバネ１の前端一部を折り曲げ成形した係合片２３を係合部とし、この係合片２３を、ボルトやナットＨ２に設けた係合溝Ｈ３に嵌め入れることにより係合させるものにし、係合溝Ｈ３を有するボルトやナットＨ２に使用するようにしても良い。
【００２８】
又、本実施形態では、係合手段によって、ゼンマイバネ１の前端と被締付部材Ｈとを着脱自在に係合するようにしているが、係合手段を設ける形態のものに限らず、例えば第１０図(B) に示すように、ゼンマイバネ１の前端と、被締付部材Ｈとしてのボルト又はナットＨ２とを、溶接等の取付け手段７によって固定させて取り付けておき、被締付部材Ｈを有するゼンマイバネ１として実施することもでき、適宜変更できる。
【００２９】
また、本実施形態では、接触防止手段を、係合部材３に設けた受け部５１と、輪状部４１に設けた突起５２とから構成しているが、この形態のものに限らず、ゼンマイバネ１の後端を被装着材Ｓに固定した際、ゼンマイバネ１の下端が被装着材Ｓに接触しない形態のものであれば良く、適宜変更し得る。又、受け部５１又は突起５２のいずれか一方だけを設けて接触防止手段としても良く、この場合でも、ゼンマイバネ１の前端側又は後端側における下端を被装着材Ｓに接触しないようにでき、ゼンマイバネ１を拡張する際の抵抗を少なくできる。また、この接触防止手段を全く設けなくても良く、適宜変更し得る。
【００３０】
【発明の効果】
本願発明は、係止部材２１の係止を外せば、ゼンマイバネ１の拡張によって、被締付部材Ｈを回動させることができ、締め付けることができる。又、ゼンマイバネ１の拡張を妨げるものがないため、ボルトＨ１をより多く回動させることができ、手でボルトＨ１を木材Ｓに装着しておいてもボルトＨ１を一定の締め付けトルクまで締め付けることができる。従って、スパナ等の工具を使用しなくても、単に手でボルトＨ１を木材Ｓにセットしさえしておけば良く、操作容易なものにできる。又、ボルトＨ１の締め付け後は、ボルトＨ１に、ゼンマイバネ１の弾性力をかけた付勢状態で維持できる。従って、その後、時間が経過して被装着材としての木材Ｓが径年変化し、ボルトＨ１の締め付けトルクが下がり始めると、それに合わせてゼンマイバネ１の弾性力によってボルトＨ１を自動的に締め付けることができ、常時一定の締め付けトルクを維持させることができる。一方、弾性を有する状態のゼンマイバネ１を紐状の係止部材２１によって係止しているだけのため、全体の重量を極力軽減でき、運搬や取扱いに際しての労力を軽減し得るものにできる。又、製作にあたっては、ゼンマイバネ１を収納するケース等も設けずに実施できるため、加工を簡単なものにできるとともに、金型も殆ど必要とせずに低コストで製作し得るものにできる。
特に、接触防止手段により、ゼンマイバネ１の前端側又は後端側における下端を被装着材Ｓに接触しないようにして、ゼンマイバネ１を拡張する際の抵抗を少なくした。
さらに、請求項２の発明は、ゼンマイバネ１の後端部を被装着材Ｓに固定するという一つの操作で、同時に係止部材２１の係止を解除することができ、操作容易なものにできる。
【図面の簡単な説明】
【図１】  (A)は本願発明のネジ締め付け具の一実施形態の平面図、(B) は、その側面図である。
【図２】図１(A) のII−II線断面図である。
【図３】被締付部材を締め付けた状態の平面図である。
【図４】被締付部材を締め付けた状態の一部を断面にした側面図である。
【図５】係止手段の他の実施形態を示す側面図である。
【図６】  (A) は、係止手段の更に他の実施形態を示す平面図、(B) は、その側面図である。
【図７】係止手段の更に他のもう一つの実施形態を示す平面図である。
【図８】  (A) は、係止手段としてコの字状の係止部材を用いた実施形態を示す平面図、(B) は、その側面図である。
【図９】係合手段の他の実施形態を示す平面図である。
【図１０】  (A) は、係合手段の更に他の実施形態を示す平面図、(B) は、後端に被締付部材を取り付けたゼンマイバネの平面図である。
【符号の説明】
１      ゼンマイバネ
２      係止手段
３      係合手段
４      固定手段
２１    係止部材
２２    係止解除機構
Ｈ      被締付部材
Ｓ      被装着材
【図１】
0004253143.tif 000002
【図２】
0004253143.tif 000003
【図３】
0004253143.tif 000004
【図４】
0004253143.tif 000005
【図５】
0004253143.tif 000006
【図６】
0004253143.tif 000007
【図７】
0004253143.tif 000008
【図８】
0004253143.tif 000009
【図９】
0004253143.tif 000010
【図１０】
0004253143.tif 000011